(57)【要約】【課題】筋肉の振動を抑えたい箇所の近くに貼るようにユーザを誘導することが可能な皮膚貼付材を提供すること。【解決手段】一実施形態に係る皮膚貼付材は、粘着面を有する皮膚貼付材であって、開孔形状である第１位置決め部を有する基礎部と、基礎部から延びる複数の帯部とを備える。第１位置決め部は貼付時に関節以外の部位に位置する。【選択図】図１
2014217469.tif 000002
【特許請求の範囲】
【請求項１】
粘着面を有する皮膚貼付材であって、
開孔形状である第１位置決め部を有する基礎部と、
前記基礎部から延びる複数の帯部と
を備え、
前記第１位置決め部が貼付時に関節以外の部位に位置する、
皮膚貼付材。
【請求項２】
前記複数の帯部のそれぞれが、隣の前記帯部から次第に離れるように前記基礎部から延びている、
請求項１に記載の皮膚貼付材。
【請求項３】
前記複数の帯部が設けられている前記基礎部の一端と対向する該基礎部の他端において、前記皮膚貼付材の長手方向と直交する方向に沿った寸法が該基礎部よりも大きいアンカー部
を更に備える請求項１または２に記載の皮膚貼付材。
【請求項４】
前記アンカー部が第２位置決め部を有する、
請求項３に記載の皮膚貼付材。
【請求項５】
前記第２位置決め部が、前記アンカー部の外縁に形成された凹部または凸部である、
請求項４に記載の皮膚貼付材。
【請求項６】
前記複数の帯部の少なくとも一部が、ふくらはぎの少なくとも一部を覆うように貼られる、
請求項１〜５のいずれか一項に記載の皮膚貼付材。
【発明の詳細な説明】
【技術分野】
【０００１】
本発明の一側面は皮膚貼付材に関する。
【背景技術】
【０００２】
従来から、筋肉の振動を抑制して体の動きをサポートするテープが知られている。例えば、下記特許文献１には、伸縮する帯状材料により形成され、裏面に粘着剤が塗布されている粘着式ふくらはぎ及び足底弓サポート用添え帯（ＡＤＨＥＳＩＶＥ  ＣＯＭＢＩＮＡＴＩＯＮ  ＦＯＯＴ  ＡＲＣＨ  ＳＵＰＰＯＲＴ  ＡＮＤ  ＣＡＬＦ  ＳＴＲＡＩＮ  ＢＲＡＣＥ）が知られている。
【先行技術文献】
【特許文献】
【０００３】
【特許文献１】意匠登録第１３７０４７９号公報
【発明の概要】
【発明が解決しようとする課題】
【０００４】
疲労や痙攣などにつながる筋肉の振動を良好に抑えるためには皮膚貼付材を適切な位置に貼る必要がある。その適切な位置をわかりやすくするために関節を目印にするのが一般的である。例えば、上記特許文献１に記載の添え帯は足の指関節の周囲に貼られる部分を有しているので、ユーザはその部分を基準に貼ることができる。
【０００５】
しかし、筋肉の振動を抑えたい箇所が関節に近いとは限らず、その距離が遠いと、ユーザがその箇所に適切に貼付材を貼ることができない。そこで、筋肉の振動を抑えたい箇所の近くに貼られるようにユーザを誘導することが可能な皮膚貼付材が望まれている。
【課題を解決するための手段】
【０００６】
本発明の一側面に係る皮膚貼付材は、粘着面を有する皮膚貼付材であって、開孔形状である第１位置決め部を有する基礎部と、基礎部から延びる複数の帯部とを備え、第１位置決め部が貼付時に関節以外の部位に位置する。
【０００７】
このような側面においては、開孔形状である第１位置決め部が基礎部に設けられているので、ユーザは貼付時にその位置決め部に基づいて、関節以外の特定の部位を基準として、筋肉の振動を良好に抑える位置に皮膚貼付材を適切かつ容易に貼ることができる。
【発明の効果】
【０００８】
本発明の一側面によれば、筋肉の振動を良好に抑えることが可能な皮膚貼付材を提供できる。
【図面の簡単な説明】
【０００９】
【図１】第１実施形態に係る皮膚貼付材の正面図である。
【図２】図１に示す皮膚貼付材の背面図である。
【図３】切れ目上に太線が印刷された状態を示す、皮膚貼付材の背面図である。
【図４】図１に示す皮膚貼付材の適用例を示す図である。
【図５】第２実施形態に係る皮膚貼付材の正面図である。
【図６】図５に示す皮膚貼付材の背面図である。
【図７】図５に示す皮膚貼付材の適用例を示す図である。
【図８】皮膚貼付材の変形例を示す正面図である。
【発明を実施するための形態】
【００１０】
以下、添付図面を参照しながら本発明の実施形態を詳細に説明する。なお、図面の説明において同一又は同等の要素には同一の符号を付し、重複する説明を省略する。
【００１１】
（第１実施形態）
まず、図１〜３を参照しながら、第１実施形態に係る皮膚貼付材１０の構成を説明する。図１は皮膚貼付材１０の正面図である。図２，３は皮膚貼付材の背面図であり、図３は切れ目上の太線を更に示すものである。
【００１２】
皮膚貼付材１０は、人の筋肉を支持するためのテープであり、運動時に生ずる筋肉の余計な振動を抑えることで筋肉疲労を緩和するために用いられる。この皮膚貼付材１０はテープ本体２０及び剥離シート３０による二層構造を成している。
【００１３】
テープ本体２０は、樹脂含浸処理が施された織布の片面に粘着剤が塗布されることで形成される。例えば、綿とウレタンとの混紡により作製された織布にパラフィン系の樹脂を含浸させ、当該織布の片面にアクリル系、シリコーン系、又はゴム系の粘着剤を塗布することでテープ本体２０を作製することができる。もっとも、テープ本体２０を構成する織布、樹脂、及び粘着剤はこれらに限定されず、それぞれにおいて任意の材料を用いてよい。
【００１４】
剥離シート３０は、テープ本体２０の粘着面を保護するために当該粘着面上に貼られるシートである。この剥離シート３０には、粘着面から剥離シートを剥がしやすくするためにシリコーン処理が施されていてもよい。
【００１５】
テープ本体２０と剥離シート３０とは全体の形状が同じであるので、以下ではテープ本体２０の形状について説明する。
【００１６】
図１に示すように、テープ本体２０は一方向に沿って長く、本明細書ではその方向を「長手方向Ｙ」といい、この長手方向と直交する方向を「幅方向Ｘ」という。テープ本体２０全体の寸法は貼付の場所や範囲などを考慮して任意に定めてよく、例えば長さを２５ｃｍとし幅を１５ｃｍとしてもよい。
【００１７】
テープ本体２０は長手方向Ｙに沿って伸びやすく、幅方向Ｘに沿って伸びにくいように加工されている。もちろん、長手方向Ｙおよび幅方向Ｘにおける伸張性の設定方法はこれに限定されない。例えば、これら二方向に沿った伸張性の双方が同程度に高くまたは低くてもよい。
【００１８】
長手方向Ｙに沿ってみると、テープ本体２０は三つの部分に大きく分けられる。具体的には、テープ本体２０は、その一端を形成するアンカー部２１と、このアンカー部２１と繋がる基礎部２２と、その基礎部２２から延びる一対の帯部２３とに大きく分けられる。図１では、アンカー部２１および基礎部２２の境界を一点鎖線Ｂａで示し、基礎部２２および一対の帯部２３の境界を一点鎖線Ｂｂで示している。
【００１９】
アンカー部２１は全体として、幅方向Ｘに長い矩形状を呈している。長手方向Ｙにおけるテープ本体２０の一端に相当する外縁２４には凹状で半円状の第２位置決め部（凹部）２４ａが形成されている。第２位置決め部２４ａの形状は、凹状に限定されず、凸状でもよい。
【００２０】
本明細書における「第２位置決め部２４ａ」とは、ユーザが皮膚貼付材１０（テープ本体２０）の貼付位置を容易に見つけることができるようにするための目印である。第２位置決め部２４ａは、皮膚貼付材１０（テープ本体２０）の貼付時に関節以外の部位に位置する。本実施形態では、凹部が第２位置決め部２４ａに相当する。なお、第２位置決め部２４ａはアンカー部２１内に形成された任意の形状の孔であってもよいし、アンカー部２１の外縁の任意の位置に形成された凹部または凸部であってもよい。あるいは、第２位置決め部２４ａはアンカー部２１内に印刷された図形、記号、文字などであってもよい。
【００２１】
基礎部２２は幅方向Ｘに長い略台形状を呈している。基礎部２２のほぼ中央には円形または楕円形の開孔形状を有する第１位置決め部２５が形成されている。本実施形態では、この孔が第１位置決め部２５に相当する。孔２５の形状は、円または楕円に限定されず、例えば任意の多角形であってもよい。また、皮膚貼付材の貼付位置と筋肉の振動抑制効果との関係から、基礎部２２には複数の孔２５が形成されてもよい。
【００２２】
本明細書における「第１位置決め部２５」とは、ユーザが皮膚貼付材１０（テープ本体２０）の貼付位置を容易に見つけることができるようにするための目印である。第１位置決め部２５は、皮膚貼付材１０（テープ本体２０）の貼付時に関節以外の部位に位置する。第１位置決め部２５の開孔形状は円形、楕円形、多角形などに限定されない。
【００２３】
本実施形態において、一対の帯部２３は、アンカー部２１に接続する基礎部２２の一辺（一点鎖線Ｂａに相当する辺）と向かい合う辺（一点鎖線Ｂｂに相当する辺）から、それぞれ長手方向Ｙに沿って延びている。二つの帯部２３は、長手方向Ｙに沿って延びるテープ本体２０の中心線Ｃを対称軸として線対称の関係にある。それぞれの帯部２３は長手方向Ｙに長いアーチ状を呈しており、より具体的には中心線Ｃから次第に離れるように湾曲している。すなわち、一方の帯部２３は、他方の帯部２３から次第に離れるように基礎部２２から延びている。幅方向Ｘにおける基礎部２２および帯部２３の外縁は連続しており、全体として弧状を呈している。
【００２４】
次に剥離シート３０について説明する。上述したように剥離シート３０の全体形状はテープ本体２０と同じである。図２に示すように、剥離シート３０には、使用者の剥離作業を容易にするためにいくつかの切れ目が形成される。
【００２５】
アンカー部２１と基礎部２２との境界付近には切れ目４１が形成されている。アンカー部２１内においては、切れ目４１の各端部から長手方向Ｙに沿って外縁２４まで切れ目４２が形成されている。基礎部２２内においては、切れ目４１の各端部から、二つの帯部２３を隔てる切れ目の端にかけて、切れ目４３が形成されている。さらに、各帯部２３の先端付近には、該帯部２３の幅方向に沿って切れ目４４が形成されている。
【００２６】
これらの切れ目４１〜４４によって剥離シート３０は領域３１〜３５に分けられる。領域３１は切れ目４１および二つの切れ目４２により区画され、アンカー部２１を保護する。二つの領域３２は切れ目４２により区画され、幅方向Ｘにおけるアンカー部２１の端部を保護する。三角形の領域３３は切れ目４１および二つの切れ目４３により区画され、基礎部２２の一部を保護する。二つの領域３４はそれぞれ切れ目４３，４４により区画され、基礎部２２の残りの部分と帯部２３の大部分とを保護する。二つの領域３５はそれぞれ切れ目４４により区画され、帯部２３の先端部分を保護する。切れ目４４は、領域３４の貼付時に、領域３５の剥離シートを残して領域３４（帯部）を引っ張りながら貼ることを可能とする。その結果、剥離シートにより領域３５におけるテープが伸張されることなく貼られる。このことにより、テープ端部に応力を発生させず、この箇所が皮膚トラブルの原因となる虞を低減することができる。
【００２７】
図３に示すように、剥離シート３０には各切れ目に沿って太線５０が印刷されているので、使用者は切れ目の位置を簡単に知ることができる。
【００２８】
上述した皮膚貼付材１０は、加工された織布の粘着面の全体に剥離シートを貼り付けて一枚のシートを作製し、続いて、太線５０などをその剥離シートに印刷し、続いてそのシートをダイカット（ｄｉｅ  ｃｕｔ）することで作製される。各切れ目４１〜４４はその裁断時にキスカット（ｋｉｓｓ  ｃｕｔ）により形成される。
【００２９】
次に、図４をさらに用いて、皮膚貼付材１０の使用方法を説明する。図４は、ふくらはぎ（腓腹筋）の疲労を軽減するために皮膚貼付材１０を下腿Ｌに貼った状態を示す図である。
【００３０】
使用者は剥離シート３０を部分的に剥がしてテープ本体２０の粘着面の一部を露出させ、その露出部分を適用箇所に貼っていく。以下に貼付手順の一例を示す。
【００３１】
使用者はまず領域３３を剥がして基礎部２２を露出させる。そして、使用者は、アンカー部２１が足首の方に向かい帯部２３が大腿の方に向かうように皮膚貼付材１０の方向を決めた上で、ふくらはぎとアキレス腱との境目付近に孔２５が対応するようにその露出部分を貼る。このとき、使用者は孔２５に通した指などでその境目付近を探り、孔２５に対応する位置を見つけたら、その指などをその位置から離すことなく露出部分を貼ることができる。
【００３２】
続いて、使用者は領域３１を剥がし、領域３２を持ちながらアンカー部２１を皮膚に貼る。続いて、使用者は二つの領域３２を剥がしてアンカー部２１の残りの部分を皮膚に貼る。次に、使用者は一方の領域３４を剥がして一方の帯部２３を露出させ、領域３５を持ってその帯部２３を少し（例えば数センチ）引っ張りながら、腓腹筋の外側に沿ってその帯部２３をふくらはぎの一部を覆うように貼る。そして、使用者はその領域３５を剥がして露出部分を皮膚に貼る。使用者は同様の手順でもう一方の帯部２３を皮膚に貼る。テープ本体２０は長手方向Ｙに沿って延びやすいので、使用者は帯部２３を簡単に伸ばしながら貼ることができる。
【００３３】
以上の手順により、図４に示すように、二つの帯部２３が腓腹筋を下方および外側から支えるように皮膚貼付材１０が下腿Ｌに貼られる。なお、貼付手順は上記に限定されるものではなく、別の順序で皮膚貼付材１０が下腿に貼られてもよい。例えば、使用者は、アキレス腱の中程に凹部２４ａが位置するように貼付位置を決めた上で、アンカー部２１、基礎部２２、一対の帯部２３の順に皮膚貼付材１０をふくらはぎに貼ってもよい。
【００３４】
（第２実施形態）
次に、図５，６を参照しながら、第２実施形態に係る皮膚貼付材１１０の構成を説明する。図５は皮膚貼付材１１０の正面図である。図６は皮膚貼付材の背面図である。第２実施形態が第１実施形態と異なる点は皮膚貼付材の形状および適用箇所であるので、以下ではその相違点について特に説明する。
【００３５】
皮膚貼付材１１０はテープ本体１２０及び剥離シート１３０による二層構造を成している。テープ本体１２０と剥離シート１３０とは全体の形状が同じであるので、以下ではテープ本体１２０の形状について説明する。
【００３６】
図５に示すように、テープ本体１２０は全体としてＸ字状を呈している。第１実施形態と同様に、テープ本体１２０全体の寸法は貼付の場所や範囲などを考慮して任意に定めてよい。図５のように長手方向Ｙおよび幅方向Ｘを定義したとすると、テープ本体１２０は長手方向Ｙに沿って伸びやすく、幅方向Ｘに沿って伸びにくいように加工されているが、第１実施形態と同様にテープ本体１２０の伸張性の設定方法はこれに限定されない。
【００３７】
テープ本体１２０は、中央に位置する基礎部１２１と、その基礎部１２１から延びる４本の帯部１２２とを備える。図５では、基礎部１２１と各帯部１２２との境界を一点鎖線Ｂｃ，Ｂｄで示している。
【００３８】
本実施形態では孔１２３が第１位置決め部１２３に相当する。孔１２３の形状は円または楕円に限定されず、例えば任意の多角形であってもよい。
【００３９】
Ｘ字状を形成する４本の帯部１２２はそれぞれ、基礎部１２１から斜め方向（図５に示す軸Ｘ，Ｙの双方と交差する方向）に延びている。すなわち、各帯部１２２は、テープ本体１２０における長手方向Ｙに沿った対称軸を基準に線対称の関係にあり、この対称軸に対して向かい合う帯部１２２同士は、それぞれ次第に離れるように基礎部１２１から延びている。それぞれの帯部１２２はアーチ状ではなく直線状に延びており、その先端部分は中央部よりも幅広である。
【００４０】
一点鎖線Ｂｃ，Ｂｄに相当する辺から長手方向Ｙに対して斜めに延びる二つの帯部１２２により凹み１２４が形成される。この凹み１２４は全体として弧状を呈している。当該二つの帯部１２２により形成される凹み１２４は位置決め部として機能し得る。一方、基礎部１２１の外縁は凹み１２４よりも浅い弧状を呈している。
【００４１】
次に剥離シート１３０について説明する。剥離シート１３０の全体形状はテープ本体１２０と同じである。図６に示すように、剥離シート１３０には、使用者の剥離作業を容易にするために４本の切れ目１４１が形成されており、これらの切れ目１４１により剥離シート１３０は領域１３１，１３２に分けられる。領域１３１は４本の切れ目１４１により区画された菱形の領域であり、基礎部１２１の中央を保護する。四つの領域１３２は切れ目１４１により区画され、基礎部１２１の一部および帯部１２２を保護する。第１実施形態と同様に、剥離シート１３０には切れ目１４１に沿って太線が印刷されてもよい。
【００４２】
次に、図７をさらに用いて、皮膚貼付材１１０の使用方法を説明する。図７は、上腕筋の疲労を軽減するために皮膚貼付材１１０を上腕Ａに貼った状態を示す図である。
【００４３】
使用者は剥離シート１３０を部分的に剥がしてテープ本体１２０の粘着面の一部を露出させ、その露出部分を適用箇所に貼っていく。以下に貼付手順の一例を示す。
【００４４】
使用者はまず領域１３１を剥がして基礎部１２１を露出させる。そして、使用者は、一方の凹み１２４が肩の方に向かい他方の凹み１２４が肘の方に向かうように皮膚貼付材１１０の方向を決めた上で、上腕二頭筋のほぼ中央に孔１２３が対応するようにその露出部分を貼る。このとき、使用者は孔１２３に通した指などでその位置を探り、孔１２３に対応する位置を見つけたら、その指などをその位置から離すことなく露出部分を貼ることができる。
【００４５】
このように、二つの帯部１２２の間にある凹み１２４を位置決め部として用いるならば、使用者は上腕二頭筋の長手方向に沿って皮膚貼付材１１０をより正確に左右対称に貼ることができる。
【００４６】
続いて、使用者は一つの領域１３２を剥がして一つの帯部１２２を露出させ、その帯部１２２を少し（例えば数センチ）引っ張りながら、上腕を巻くようにその帯部１２２を貼る。使用者は同様の手順で他の三つの帯部１２２を皮膚に貼る。テープ本体１２０は長手方向Ｙに沿って延びやすいので、使用者は帯部１２２を簡単に伸ばしながら貼ることができる。
【００４７】
以上の手順により、図７に示すように皮膚貼付材１１０が上腕Ａに貼られる。なお、貼付手順は上記に限定されるものではなく、使用者は別の順序で皮膚貼付材１１０を貼ってもよい。
【００４８】
第１および第２実施形態について説明したように、本発明の一側面に係る皮膚貼付材は、粘着面を有する皮膚貼付材であって、開孔形状である第１位置決め部を有する基礎部と、基礎部から延びる複数の帯部とを備え、第１位置決め部が貼付時に関節以外の部位に位置する。
【００４９】
このような側面においては、貼付時に関節以外の部位に位置する位置決め部が基礎部に設けられているので、ユーザはその位置決め部を基準にして、筋肉の振動を良好に抑える位置に貼付材を適切かつ容易に貼ることができる。この皮膚貼付材を用いれば、初心者であっても良好なテーピング効果を享受することができる。図４の例では、ユーザはアキレス腱から腓腹筋に移行する付近を基準に一対の帯部２３を貼ることができるので、腓腹筋の振動を抑えてふくらはぎの疲労を軽減することができるように皮膚貼付材１０を適用することができる。図７の例では、ユーザは上腕二頭筋の中央付近を基準に４本の帯部１２２を貼ることができるので、上腕筋の振動を抑えてその箇所の疲労を軽減するように皮膚貼付材１１０を適用することができる。
【００５０】
複数の帯部と接続する基礎部は、筋肉の振動を抑える帯部そのものができるだけ動かないようにする役割を持つので、基礎部を貼る位置は重要である。したがって、この基礎部に位置決め部を設けることで、ユーザはテープ設計者の意図通りに、皮膚貼付材が良好な効果を発揮するような貼付位置を見つけることができる。ユーザは第１位置決め部を利用して基礎部を適切な位置に貼り、その後に帯部を貼るが、これは、第１位置決め部が、基礎部が適切な位置に貼られるようにユーザを誘導する役割を果たすともいえる。第１および第２実施形態では第１位置決め部が孔なので、基礎部を適切な位置に貼るようにユーザを誘導することが容易である。
【００５１】
皮膚貼付材の使用時には第１位置決め部は関節以外の部位に位置する。
【００５２】
第１実施形態では、くるぶしを結ぶ仮想線がアキレス腱と交差する付近から上方に掌の長さだけ離れた位置に第１位置決め部が位置するように、皮膚貼付材が貼られる。その位置は、腓腹筋からアキレス腱への移行部に対応する。ユーザはこのように第１位置決め部を合わせることで、腓腹筋の振動を効果的に抑制できるように皮膚貼付材を貼ることができる。
【００５３】
第２実施形態では、腕を曲げた時に隆起する上腕二頭筋の頂部付近に第１位置決め部が位置するように皮膚貼付材が貼られる。その結果、ユーザは上腕筋の振動を効果的に抑えることができるように皮膚貼付材を貼ることができる。
【００５４】
このように、ユーザは第１位置決め部を関節以外の部位に位置させることができる。そのため、初心者でも筋肉の振動を適切に抑えることができるように皮膚貼付材を貼ることができる。特に、第１位置決め部が孔であればユーザはその孔を介して身体の一部を目視することもできるため、ユーザは貼付の前後において、皮膚貼付材が適切な位置に貼られるか否かを確認することができる。
【００５５】
また、開孔形状である第１位置決め部を有する基礎部により、ユーザは関節以外の特定の部位を基準として、筋肉の振動を抑制したい箇所の近傍に皮膚貼付材を貼り付けることができる。その結果、皮膚貼付材により効果的に筋肉の振動を抑制させることができ、人体への貼付面積を最小限に抑えつつ、最大限の筋肉振動抑制効果を発揮させることができる。その結果、貼付によりユーザが覚える違和感を小さくしたり、貼付材によるかぶれの虞を小さくしたり、体内からの放熱が遮られるのを抑えたりすることができる。また、貼付材の重量も抑えることができる。
【００５６】
関節保護テープは関節の可動範囲を制限するように貼れば足りるのに対して、筋肉の振動を抑制する皮膚貼付材では、振動を抑制する帯部と、その帯部の動きを防ぐ基礎部を貼る必要がある。したがって、皮膚貼付材の面積を抑えつつその皮膚貼付材をユーザに正しく貼らせるとしても、第１位置決め部が無いと使用者は適切な貼付箇所（テープ設計者が意図する貼付箇所）を特定することは困難である。関節以外の部位に位置させる第１位置決め部を設けることで、ユーザは筋肉の振動を適切に抑えることができるように皮膚貼付材を貼ることができる。
【００５７】
別の側面に係る皮膚貼付材では、複数の帯部のそれぞれが、隣の帯部から次第に離れるように基礎部から延びてもよい。第１実施形態では帯部２３が腓腹筋の形状に沿って斜め上方向に貼られ、第２実施形態では帯部１２２が上腕を覆うように貼られるので、どちらにおいても必要最小限のテープ使用量で上下および左右の方向の筋肉の振動を効果的に抑制できる。また、使用時の違和感、放熱効率の低下、テープの重量を抑えることができる。
【００５８】
第１実施形態で示されるように、前記複数の帯部が設けられている前記基礎部の一端と対向する該基礎部の他端において、前記皮膚貼付材の長手方向と直交する方向に沿った寸法が該基礎部よりも大きいアンカー部を更に備えていてもよい。すなわち、別の側面に係る皮膚貼付材では、複数の帯部が設けられている基礎部の一端と対向する該基礎部の他端に接続し、皮膚貼付材（特に帯部）の長手方向と直交する方向（幅方向Ｘ）に沿った寸法が該基礎部よりも大きいアンカー部を更に備えてもよい。この場合には、帯部が基礎部だけでなく、幅広のアンカー部によっても支持されるので、筋肉の振動を帯部により良好に抑えることができる。また、アンカー部を下腿の軸と直交する方向に巻いて当該アンカー部を骨などの硬い部位にも貼ることができるので、皮膚貼付材をより確実に固定させることができる。
【００５９】
第１実施形態で示されるように、別の側面に係る皮膚貼付材では、アンカー部が第２位置決め部を有してもよい。さらに別の側面に係る皮膚貼付材では、第２位置決め部が、アンカー部の外縁に形成された凹部または凸部であってもよい。これらの場合には、ユーザは貼付位置の基準を二つの位置決め部の少なくとも一方により決めることができる。一般にテープの凸部は比較的剥がれやすい。したがって、位置決め部を凹部にすれば、位置決め部の周辺が剥がれることをより確実に抑えることができる。また、位置決め部を凹部にすれば、位置決め部が孔である場合よりもアンカー部の面積を広くでき、より高い支持効果が得られる。
【００６０】
第１実施形態で示されるように、別の側面に係る皮膚貼付材では、複数の帯部が貼付時に人体の体幹部（頭部および両腕を除く上体の部分）に向かって延びてもよい。このように皮膚貼付材を貼ることで、筋肉の振動を良好に抑えることができる。
【００６１】
第１実施形態で示されるように、別の側面に係る皮膚貼付材では、基礎部の一端が皮膚貼付材の幅方向Ｘに沿って延びる線状をなしており（図１においては、一点鎖線Ｂｂで示される直線上の境界）、この基礎部の一端から複数の帯部が延びてもよい。この態様においては、基礎部のうち、皮膚貼付材の長手方向における一端であって、皮膚貼付材の貼付時に人体の体幹部に近い部位に貼られる当該一端から複数の帯部が延びているということができる。このように帯部を設けることで、筋肉の振動を良好に抑えることができる。
【００６２】
第１実施形態で示されるように、別の側面に係る皮膚貼付材では、複数の帯部の少なくとも一部がふくらはぎの少なくとも一部を覆うように貼られてもよい。この場合には、ふくらはぎの疲労を緩和することができる。
【００６３】
第２実施形態で示されるように、別の側面に係る皮膚貼付材では、複数の帯部の少なくとも一部が上腕の少なくとも一部を覆うように貼られてもよい。この場合には、上腕筋の疲労を緩和することができる。
【００６４】
第１および第２実施形態で示されるように、別の側面に係る皮膚貼付材では、帯部の長手方向に沿った伸張性の方が、該帯部の幅方向に沿った伸張性より高くてもよい。この場合には、ユーザは帯部を簡単に伸ばしながら貼ることができる。また、帯部の長手方向の伸張性を高くすることで、当該帯部が基礎部の方に戻る力が生じるので、その復元力により強い振動抑制効果を期待できる。例えば、第１実施形態では帯部２３の先端が頸骨の位置に貼られるので、アンカー部２１および基礎部２２と頸骨の位置に貼られた帯部先端部とにより帯部２３を上下から挟み込むように固定することができる。また、幅方向の伸張性を抑えることでユーザは皮膚貼付材の位置決めをより簡単に行うことができる。
【００６５】
第１実施形態で示されるように、別の側面に係る皮膚貼付材では、長手方向Ｙに沿ってみた場合に第２位置決め部が第１位置決め部と同軸上に形成されてもよい。このように、第１位置決め部と第２位置決め部とを同じ軸上に形成すれば、ユーザは簡単に、皮膚貼付材を身体の長手方向に対してまっすぐに貼ることができる。その結果、ユーザは複数の帯部を適切な位置に貼ることができる。特に、皮膚貼付材を左右対称に貼る場合においてこの効果はより顕著である。
【００６６】
以上、本発明をその実施形態に基づいて詳細に説明した。しかし、本発明は上記実施形態に限定されるものではない。本発明は、その要旨を逸脱しない範囲で様々な変形が可能である。
【００６７】
図８に示す皮膚貼付材１０Ａ（テープ本体２０Ａ）のように、アーチ状にではなく直線状に延びる帯部２３Ａを採用してもよい。この例では、基礎部２２Ａは帯部２３Ａの形状に合わせて矩形状に形成されている。図８では、アンカー部２１および基礎部２２Ａの境界と、基礎部２２Ａおよび一対の帯部２３Ａの境界とをそれぞれ一点鎖線で示している。
【００６８】
皮膚貼付材１０，１０Ａにおいて、二つの帯部２３，２３Ａの少なくとも一部が切り離し可能な状態で互いに繋がっていてもよい。この場合には、使用者は切取線（例えばミシン目）に沿って一対の帯部２３，２３Ａを切り離した後に、上記実施形態と同様の手順でテープ本体２０，２０Ａを体に貼る。すなわち、別の側面に係る皮膚貼付材では、複数の帯部が切り離し可能な状態で繋がっていてもよい。
【００６９】
上記実施形態では皮膚貼付材をふくらはぎ及び上腕に適用する例を示したが、皮膚貼付材の適用部位は限定されない。例えば、本発明に係る皮膚貼付材を大腿に貼ってもよい。
【００７０】
上記実施形態では剥離シートが切れ目および太線を有していたが、切れ目上への太線の印刷は必須ではなく、さらに、切れ目も省略可能である。
【符号の説明】
【００７１】
１０，１０Ａ，１１０…皮膚貼付材、２０，２０Ａ，１２０…テープ本体、２１…アンカー部、２２，２２Ａ，１２１…基礎部、２３，２３Ａ，１２２…帯部、２４…外縁、２４ａ，１２４…第２位置決め部（凹部）、２５，１２３…第１位置決め部（孔）、３０，１３０…剥離シート、３１〜３５，１３１，１３２…領域、４１〜４４，１４１…切れ目、５０…太線。
【図１】
2014217469.tif 000003
【図２】
2014217469.tif 000004
【図４】
2014217469.tif 000005
【図５】
2014217469.tif 000006
【図６】
2014217469.tif 000007
【図７】
2014217469.tif 000008
【図８】
2014217469.tif 000009
【図３】
2014217469.tif 000010